(57)【要約】【課題】カメラを具えた携帯電話機において、カメラによる撮影時にユーザが違和感を覚えることなく容易に撮影を行なうことが出来、然も通話モードが途中で切断されることのない携帯電話機を提供する。【解決手段】本発明に係る携帯電話機は、キー側筐体１とディスプレイ側筐体２とをヒンジ機構によって開閉可能に連結してなり、キー側筐体１の背面にはカメラ６が配備されている。ヒンジ機構は、両筐体１、２を閉じた閉じ状態と、両筐体１、２を１８０度よりも小さな角度まで開いた第１開き状態と、両筐体１、２を１８０度まで開いた第２開き状態とを設定することが可能であり、第１開き状態から第２開き状態への開き動作を阻止するロック機能を有すると共に、該ロック機能を解除するロック解除釦３を具え、第１開き状態で通話モードが設定される一方、第２開き状態でカメラ６による撮影モードが設定される。【選択図】図７
2007267060.tif 000002
【特許請求の範囲】
【請求項１】
内面に操作キー(11)を配備したキー側筐体(１)と、内面にディスプレイ(21)を配備したディスプレイ側筐体(２)と、両筐体(１)(２)を開閉可能に連結するヒンジ機構(31)とを具えた携帯電話機において、キー側筐体(１)の背面にはカメラ(６)が配備され、ヒンジ機構(31)は、両筐体(１)(２)を閉じた閉じ状態と、両筐体(１)(２)を１８０度よりも小さな角度まで開いた第１開き状態と、両筐体(１)(２)を１８０度まで開いた第２開き状態とを設定することが可能であり、第１開き状態から第２開き状態への開き動作を阻止するロック機能を有すると共に、該ロック機能を解除するロック解除釦(３)を具え、第１開き状態で通話モードが設定される一方、第２開き状態でカメラ(６)による撮影モードが設定されることを特徴とする携帯電話機。
【請求項２】
前記第１開き状態と第２開き状態を検知して通話モードと撮影モードを切り替えるためのモード切替用スイッチ(４)が配備されている請求項１に記載の携帯電話機。
【請求項３】
前記第２開き状態で着信があったとき、両筐体(１)(２)が前記第１開き状態まで閉じられたことを検知して、撮影モードを通話モードに切り替える請求項１又は請求項２に記載の携帯電話機。
【請求項４】
前記第２開き状態にて、ディスプレイ側筐体(２)に配備されたディスプレイ(21)がカメラ(６)のビューファインダーとして機能する請求項１乃至請求項３の何れかに記載の携帯電話機。
【発明の詳細な説明】
【技術分野】
【０００１】
本発明は、キー側筐体とディスプレイ側筐体を開閉可能に連結してなる携帯電話機に関するものである。
【背景技術】
【０００２】
この種の携帯電話機においては、図８に示す如くキー側筐体(10)とディスプレイ側筐体(20)とがヒンジ機構(30)を介して互いに連結され、開閉操作が可能となっている。キー側筐体(10)の内面には複数の操作キーが配備されると共に、ディスプレイ側筐体(20)の内面には液晶ディスプレイが配備されている。
ここで、両筐体(10)(20)の開き角度θは、開き状態で通話に適した大きさ(例えば１５０度〜１７０度)に設定されている。
【０００３】
ところで、この様な折り畳み式の携帯電話機においては、カメラを搭載して撮影を可能としたものが広く普及しているが、カメラの位置については、ヒンジ機構(30)にカメラを配備する方式(特許文献１)の他、図８の如くキー側筐体(10)の背面にカメラ(６)を配備する方式や、ディスプレイ側筐体(20)の背面にカメラを配備する方式がある。
【０００４】
しかしながら、ヒンジ機構(30)にカメラを配備する方式では、ヒンジ機構(30)を構成する筒体の内部にカメラを収容する必要があるため、カメラを構成する光学系の大型化に限界がある。
これに対して、カメラをキー側筐体(10)或いはディスプレイ側筐体(20)に配備する方式によれば、カメラを構成する光学系の大型化は可能となるが、カメラをディスプレイ側筐体(20)に配備した場合、ディスプレイ側筐体(20)には液晶ディスプレイが配備されているので、ディスプレイ側筐体(20)の厚さの増大を招き、若しくは液晶ディスプレイの大画面化を図ることが出来ない問題がある。
【特許文献１】特開２００２−２０９１３３号公報［H04N5/225］
【発明の開示】
【発明が解決しようとする課題】
【０００５】
そこで、図８の如くキー側筐体(10)のヒンジ機構(30)の近傍位置にカメラ(６)を配備すれば、キー側筐体(10)の厚さの増大を抑えた上で、カメラ(６)を構成する光学系の大型化に対応することが可能である。
ところが、この場合、カメラ(６)のビューファインダーとして、ディスプレイ側筐体(20)に配備された液晶ディスプレイを利用することになるため、カメラ(６)によって撮影される被写体の画像が、被写体の実際の向きとは１０度〜３０度の角度差をもって液晶ディスプレイに映し出されるため、シャッター操作時にユーザが違和感を覚える問題がある。
【０００６】
そこで本発明者は、上記問題を解決するためには、図９に示す様にキー側筐体(10)とディスプレイ側筐体(20)を１８０度まで開くことが出来るヒンジ機構(30)を採用し、この開き状態でカメラ(６)による撮影を行なう方式を案出した。
【０００７】
一方、折り畳み式携帯電話機において、キー側筐体とディスプレイ側筐体の開き角度に応じてモードを切り替える技術が知られており(前記特許文献１)、この技術を利用して、両筐体が図８に示す開き状態から図９に示す開き状態まで開くと自動的に撮影モードを設定する構成を採ることが可能である。
【０００８】
しかしながら、この場合、通話中に例えば両筐体(10)(20)の内面に顔面が押し付けられて、両筐体(10)(20)が図８に示す開き状態から図９に示す開き状態まで開くことがあり、この結果、自動的に撮影モードが設定されて、通話が不意に切断されてしまう問題がある。
【０００９】
本発明の目的は、キー側筐体にカメラを配備した構成において該カメラによる撮影時にユーザが違和感を覚えることなく容易に撮影を行なうことが出来、然も通話モードが途中で切断されることのない携帯電話機を提供することである。
【課題を解決するための手段】
【００１０】
本発明に係る携帯電話機は、内面に操作キー(11)を配備したキー側筐体(１)と、内面にディスプレイ(21)を配備したディスプレイ側筐体(２)と、両筐体(１)(２)を開閉可能に連結するヒンジ機構(31)とを具え、キー側筐体(１)の背面にはカメラ(６)が配備されている。
ここで、ヒンジ機構(31)は、両筐体(１)(２)を閉じた閉じ状態と、両筐体(１)(２)を１８０度よりも小さな角度まで開いた第１開き状態と、両筐体(１)(２)を１８０度まで開いた第２開き状態とを設定することが可能であり、第１開き状態から第２開き状態への開き動作を阻止するロック機能を有すると共に、該ロック機能を解除するロック解除釦(３)を具え、第１開き状態で通話モードが設定される一方、第２開き状態でカメラ(６)による撮影モードが設定される。
【００１１】
具体的には、前記第１開き状態と第２開き状態を検知して通話モードと撮影モードを切り替えるためのモード切替用スイッチ(４)が配備されている。
【００１２】
上記本発明の携帯電話機においては、着信があったとき、両筐体(１)(２)を閉じ状態から第１開き状態まで開くことによって、通話モードが設定されて通話が可能となる。
そして、ロック解除釦(３)を操作して、両筐体(１)(２)を更に第２開き状態まで開くことによって、これをモード切替用スイッチ(４)が検知し、自動的に撮影モードが設定されて、カメラ(６)を用いた撮影が可能となる。ここで、ディスプレイ側筐体(２)に配備されたディスプレイ(21)がカメラ(６)のビューファインダーとして機能する。
【００１３】
第２開き状態で着信があったときは、両筐体(１)(２)を第１開き状態まで閉じれば、これをモード切替用スイッチ(４)が検知し、撮影モードが通話モードに切り替えられる。これによって通話が可能となる。
【発明の効果】
【００１４】
本発明に係る携帯電話機によれば、キー側筐体(１)にカメラ(６)が配備されているので、キー側筐体(１)及びディスプレイ側筐体(２)の厚さの増大を招くことはない。又、両筐体(１)(２)を第２開き状態まで開いた状態で撮影モードが設定されるので、ユーザは、ディスプレイ側筐体(２)のディスプレイ(21)に映し出された被写体の画像に違和感を覚えることなく、容易に撮影を行なうことが出来る。然も、両筐体(１)(２)を第１開き状態まで開いた通話モードにて、両筐体(１)(２)に開き方向の力が作用したとしても、両筐体(１)(２)は第１開き状態でロックされているので、両筐体(１)(２)が第２開き状態まで開いて通話モードが不意に中断されることはない。
【発明を実施するための最良の形態】
【００１５】
以下、本発明の実施の形態につき、図面に沿って具体的に説明する。
本発明に係る折り畳み式携帯電話機は、図１に示す如く、内面に操作キー(11)を配備したキー側筐体(１)と、内面にディスプレイ(21)を配備したディスプレイ側筐体(２)と、両筐体(１)(２)を開閉可能に連結するヒンジ機構(31)とを具えている。
又、図３に示す如く、キー側筐体(１)の背面にはカメラ(６)が配備される一方、ディスプレイ側筐体(２)の背面にはサブ液晶ディスプレイ(22)が配備されている。
【００１６】
ヒンジ機構(31)は周知の構成を有し、図４の如く両筐体(１)(２)が完全に閉じられた閉じ状態と、図２の如く両筐体(１)(２)が通話の容易な開き角度θ(例えば１６０度)まで開いた第１開き状態と、図５の如く両筐体(１)(２)が１８０度まで開かれた第２開き状態との間で、開閉操作を行なうことが可能である。
【００１７】
又、ヒンジ機構(31)は、図１に示す第１開き状態にて筐体(１)(２)をロックして第１開き状態から第２開き状態への開き動作を阻止するロック機能を有すると共に、該ロック機能を解除するロック解除釦(３)を具えている。この様なヒンジ機構(31)のロック機能並びにロック解除釦(３)の構造については、周知技術を用いて容易に実現することが出来るので、説明を省略する。
【００１８】
キー側筐体(１)の内面には、両筐体(１)(２)が開かれているか閉じられているかを検出するための開閉検出スイッチ(５)が配備されると共に、ディスプレイ側筐体(２)の内面には、開閉検出スイッチ(５)を動作させるピン(51)が突設されている。
【００１９】
又、ディスプレイ側筐体(２)のヒンジ機構(31)側の端部には、マグネット(41)が内蔵されると共に、キー側筐体(１)のヒンジ機構(31)側の端部には、マグネット(41)との対応位置に磁気センサー(42)が内蔵され、第１開き状態と第２開き状態を検知して通話モードと撮影モードを切り替えるモード切替用スイッチ(４)が構成されている。
【００２０】
上記折り畳み式携帯電話機においては、図４に示す閉じ状態にて着信があった場合、両筐体(１)(２)を図１及び図２の如く第１開き状態まで開くことによって、これを開閉検出スイッチ(５)が検知し、通話モードが設定される。そこで、ユーザは、オフフック操作を行なうことによって通話が可能となる。
【００２１】
この状態で、両筐体(１)(２)は適度な開き角度θを有しているので、通話は容易に行なうことが出来る。
又、両筐体(１)(２)は第１開き状態でロックされているので、両筐体(１)(２)の内面に顔面が押し付けられる等により、両筐体(１)(２)に開き方向の力が作用したとしても、両筐体(１)(２)が開くことはない。従って、通話モードが不意に中断されることはない。
【００２２】
通話モードの終了後、撮影モードを設定する場合には、ロック解除釦(３)を押圧操作して、両筐体(１)(２)を図５及び図７に示す様に第２開き状態まで開く。これによって、モード切替用スイッチ(４)のマグネット(41)が磁気センサー(42)に最接近して、第２開き状態が検知される。そして、この検知に基づいて撮影モードが設定される。
【００２３】
撮影モードにおいては、ディスプレイ側筐体(２)に配備されているメイン液晶ディスプレイ(21)がビューファインダーとして機能する。
ここで、図６の如くキー側筐体(１)に配備されたカメラ(６)の向きと、ディスプレイ側筐体(２)に配備されたメイン液晶ディスプレイ(21)の向きとが、互いに１８０度の角度を為して逆向きとなるので、カメラ(６)の方向に存在する被写体の画像が、そのままの向きでメイン液晶ディスプレイ(21)に映し出されることになる。従って、ユーザは、違和感を覚えることなくシャッター操作を行なうことが出来る。
【００２４】
撮影モードにおいては着信の待ち受け状態は維持されており、撮影モードで着信があったときは、両筐体(１)(２)を図１及び図２に示す第１開き状態まで閉じる。これによって、両筐体(１)(２)にはロックが掛かる。
又、モード切替用スイッチ(４)のマグネット(41)が磁気センサー(42)から離間して、第１開き状態が検知される。そして、この検知に基づいて通話モードが設定される。
従って、ユーザはオフフック操作を行なうことによって通話が可能となる。尚、第１開き状態の検知によって、オフフック操作を行なうことなく通話を可能とするモードを設定しておくことも可能である。
【００２５】
撮影モードの終了後は、両筐体(１)(２)を図２に示す第１開き状態から図４に示す閉じ状態まで閉じる。この際、ユーザは、ロック解除釦(３)を操作することなく、両筐体(１)(２)を閉じることが出来る。
【００２６】
尚、本発明の各部構成は上記実施の形態に限らず、特許請求の範囲に記載の技術的範囲内で種々の変形が可能である。例えば、モード切替用スイッチ(４)はマグネット(41)と磁気センサー(42)からなる構成に限らず、ヒンジ機構(31)に内蔵した接点式のオン／オフスイッチによって構成することも可能である。
【図面の簡単な説明】
【００２７】
【図１】本発明に係る携帯電話機の第１開き状態を示す斜視図である。
【図２】同上の第１開き状態を示す側面図である。
【図３】同上の第１開き状態を背面から見た斜視図である
【図４】本発明に係る携帯電話機の閉じ状態を示す斜視図である。
【図５】本発明に係る携帯電話機の第２開き状態を示す斜視図である。
【図６】同上の第２開き状態を背面側から見た斜視図である。
【図７】同上の第２開き状態を示す側面図である。
【図８】従来の携帯電話機の開き状態を示す側面図である。
【図９】従来の携帯電話機を１８０度まで開いた場合の側面図である。
【符号の説明】
【００２８】
(１)  キー側筐体
(11)  操作キー
(２)  ディスプレイ側筐体
(21)  メイン液晶ディスプレイ
(22)  サブ液晶ディスプレイ
(３)  ロック解除釦
(31)  ヒンジ機構
(４)  モード切替用スイッチ
(41)  マグネット
(42)  磁気センサー
(６)  カメラ
【図１】
2007267060.tif 000003
【図２】
2007267060.tif 000004
【図３】
2007267060.tif 000005
【図４】
2007267060.tif 000006
【図５】
2007267060.tif 000007
【図６】
2007267060.tif 000008
【図７】
2007267060.tif 000009
【図８】
2007267060.tif 000010
【図９】
2007267060.tif 000011